(57)【特許請求の範囲】
【請求項１】
高所作業の安全確保のためにロープ等の索体を取り付けるべく、下部を、水平面内に長穴を有しその下に支持板が設けられた連結部分に挿入して立てることのできる高所作業用安全支柱であって、
筒体の内側に軸体が挿入されていて、当該軸体は、筒体に対し、螺旋状の案内経路を有する案内手段に従って長さ方向とともに周方向に螺旋状に相対変位すること、
軸体の下部に、特定の角度姿勢で上記の長穴を通過することができ、当該軸体とともに回転変位して他の角度姿勢になり得る係止片が設けられていること、
軸体の下端が筒体の下部から出ていて、当該下端が上記支持板に載せられて筒体の重量を受けるとき、上記螺旋状の案内経路に従って軸体が変位することにより、上記の係止片が上記特定の角度姿勢から他の角度姿勢に回転変位すること
を特徴とする高所作業用安全支柱。
【請求項２】
筒体の下部に、特定の角度姿勢にあるときにのみ上記長穴に挿入される、上下方向に連続して長さを有するガイド片が一体的に設けられているとともに、
上記の係止片が上記した他の角度姿勢にある状態で、筒体に対し軸体が相対変位をしないようにするロック機構が設けられていること
を特徴とする請求項１に記載の高所作業用安全支柱。
【請求項３】
上記長穴の縁部上面に被さるフランジ状の部分が上記ガイド片の上部に形成されるとともに、筒体に対し軸体を引き上げてその状態を保持する引上げ保持機構が筒体に付設されていることにより、
上記係止片と上記フランジ状の部分とで上記長穴の周縁部分を挟み付けておくことができることを特徴とする請求項２に記載の高所作業用安全支柱。
【請求項４】
上記ロック機構と上記引上げ保持機構とを兼ねる機構として、
上記案内手段に、螺旋状の案内経路に続いて筒体に対し軸体を上下方向にのみ相対変位させる直線状の案内経路が形成されているとともに、
筒体の上端より上にまで軸体が延びていて、筒体の上端付近の高さで軸体の上部外周に雄ねじが形成され、その雄ねじ上で締め込むとき筒体の上端に接触して軸体を上向きに相対変位させるよう、軸体にナットがはめられている
ことを特徴とする請求項３に記載の高所作業用安全支柱。
【請求項５】
ハンドリングバーが筒体に連結されていることを特徴とする請求項１〜４のいずれかに記載の高所作業用安全支柱。
【請求項６】
軸体の下端に、上記支持板に接触するとともに軸体の軸心回りに自由に回転し得る先端金具が取り付けられていることを特徴とする請求項１〜５のいずれかに記載の高所作業用安全支柱。
【請求項７】
筒体の上端より上にまで軸体が延びていて、筒体かまたは軸体のうち筒体より上の部分かにおける高さの異なる複数の箇所に、上記の索体を取り付けるための部材が設けられていることを特徴とする請求項１〜５のいずれかに記載の高所作業用安全支柱。
【発明の詳細な説明】
【技術分野】
【０００１】
請求項に係る発明は、コンテナの上など高所での作業の安全を確保するために有用な安全支柱に関するものである。
【背景技術】
【０００２】
コンテナは、貨物輸送に使用するボックス状の容器であるが、その取り扱いにあたっては、しばしば高所作業が必要になる。つまり、コンテナを積んだ船の上や港湾その他の場所において、コンテナ間の連結やその解除、各コンテナのメンテナンス等のために、作業員がコンテナの上に立って作業をしなければならないことが少なくない。コンテナは複数段に積み上げられることが多く、また上面には手摺も安全柵もないので、転落等しないように、作業員は何らかの方法で安全を確保しなければならない。
【０００３】
図６に示すように、コンテナ２の隅などには、コーナーフィッティング（またはキャスティング）と呼ばれる、長穴を有するブロック状の連結部分３が設けられている。その連結部分３は、コンテナ２同士の連結等に使用されるものだが、従来、コンテナ２上での作業の安全のためにもその連結部分３が利用されている。たとえば、連結部分３の長穴３ａにロープ等が直接結び付けられ、そのロープ等に安全帯（命綱付きベルト）が接続されることがある。また、下記の特許文献１に示すような係止治具が長穴に取り付けられ、その係止治具に安全帯が連結されることもある。
【０００４】
特許文献１の係止治具は図７（ａ）・（ｂ）に示されるもので、ハンドル９１が設けられたロッド９２の下部に、コーナーフィッティングの長穴に挿入される側板９３ａ・９３ｂと、コイルスプリング９４で付勢されて側板９３ａ・９３ｂの外側にはみ出る向きに回転する係止体９５とを有している。側板９３ａ・９３ｂと係止体９５とを、向きを揃えて長穴に挿入したうえ、コイルスプリング９４の力で係止体９５を回転させて長穴と直角の向きに保っておけば、治具９０が長穴から外れ出ることがなくなる。そのような治具９０のロッド９２に、図のようにチェーン９６をつなぎ、そのチェーン９６に対して安全帯を連結する。
【０００５】
なお、コーナーフィッティングついては、上面など３面に長穴が設けられ、対向する他の面には穴のない板（支持板）が一体的に設けられている。こうしたコーナーフィッティングのように長穴を含む連結部分が存在する場合には、コンテナ上のみには限らず、高所作業の安全確保は、上記と概ね同様の要領で行われる。
【先行技術文献】
【特許文献】
【０００６】
【特許文献１】特開２０００−１２７８３８号公報
【発明の概要】
【発明が解決しようとする課題】
【０００７】
コーナーフィッティング等の長穴に上記のように直接ロープ等を結び付ける場合には、その結び付けの作業自体が安全ではない。コンテナの上などの高所で、隅の位置にある長穴に作業員が接近したうえ前屈みになってロープ等を結び付けることには、当然ながら転落等の危険がともなう。
【０００８】
また、特許文献１に示す治具を使用することも、簡単な作業とはいいがたい。上記のように側板と係止体とを向きを揃えて長穴に挿入する必要があるにもかかわらず、自然状態では両者の向きが揃わないようにコイルスプリングが使用されているからである。そのため、側板等を一方の手で持ち、他方の手でハンドルを握って係止体の向きを変えながら、側板と係止体とを長穴に挿入せねばならない。そのような作業は簡単でないうえ、各コンテナの隅にある長穴に近い位置で両手で治具を取り扱う必要があるため、十分安全であるとは言いがたい。
【０００９】
本願請求項に係る発明は、コーナーフィッティング等の長穴を含む連結部分が設けられた、コンテナ上面等の高所での作業を安全に行うための支柱を提供するものである。その支柱なら、連結部分に対し簡単かつ安全に連結して立てることができ、それへの安全帯の連結等も容易に行うことができる。
【課題を解決するための手段】
【００１０】
発明による高所作業用安全支柱は、高所作業の安全確保のためにロープ等の索体を取り付けるべく、下部を、水平面内に長穴を有しその下に支持板が設けられた連結部分（コンテナのコーナーフィッティング等）に挿入して立てる（鉛直またはほぼ鉛直に立てる）ことのできる高所作業用安全支柱であって、
・  筒体の内側に軸体（中空の筒状のものを含む）が挿入されていて、当該軸体は、筒体に対し、螺旋状の案内経路を有する案内手段に従って長さ方向とともに周方向に螺旋状に相対変位すること、
・  軸体の下部に、特定の角度姿勢で上記の長穴を通過することができ、当該軸体とともに回転変位して他の角度姿勢（上記長穴を通過できない角度姿勢）になり得る係止片（たとえば図１の符号２１）が設けられていること、
・  軸体の下端が筒体の下部から出ていて、当該下端が上記支持板に載せられて筒体の重量を受けるとき、上記螺旋状の案内経路に従って軸体が変位することにより、上記の係止片が上記特定の角度姿勢から他の角度姿勢に回転変位すること
を特徴とする。
なお、上記した案内手段は、筒体・軸体間の相対変位を規定するため両者間に設けられるもので、たとえば、筒体か軸体かの一方に螺旋状に（つまりネジのように傾きを有するように）溝が形成されていて、他方に設けられた突起をその溝に沿って移動させる機構（図１の符号１１はその一例である）が考えられる。
【００１１】
発明の高所作業用安全支柱は、上記のような連結部分、すなわち水平面内（水平に近い面を含む）に長穴を有しその下に支持板が設けられた部分（たとえばコンテナのコーナーフィッティング）に対し、下部を挿入して鉛直またはほぼ鉛直に立てられる支柱である。そのように立てられた状態で、この支柱には、作業員の安全帯を接続したり、または複数の支柱間にロープ（親綱）等を張ったりすることができ、もって高所作業の安全を図ることが可能になる。
この安全支柱は、上記の連結部分に下部を挿入して立てる操作を、きわめて容易に、かつ安全に行うことができる。つまり、下記1)〜3)のようにするだけで安全支柱を立てることができる。
1)  筒体の内側に軸体が挿入されている上記支柱を、作業員が、筒体を支持することによって連結部分の上まで運ぶ。
2)  軸体の下部にある係止片が連結部分の長穴を通過する特定の角度姿勢になるように支柱の角度を整えたうえ、支柱を下ろして係止片をその長穴に挿し入れる。
3)  そのまま支柱を下ろし、軸体の下端が連結部分の支持板上に載ったのちもさらに筒体を下げたうえで、筒体の支持を解く。
この3)の間、筒体は自重（またはさらに作業員から受ける下向きの力）により軸体に沿って下方へ移動するが、軸体は、上記螺旋状の案内経路に従って回転変位する。軸体の回転変位にともなって、上記の係止片が、上記特定の角度姿勢から他の角度姿勢（上記長穴を通過できない角度姿勢）へと回転変位する。こうなると、上記係止片がそのままでは上記の長穴から抜け出ることのできない状態になるため、上記の支柱は、安全帯や親綱等によって横向きに引っ張れられても、倒れたり外れたりすることがなくなる。
つまり、上記1)〜3)に示す簡単な操作のみによって上記支柱は連結部分に連結され、高所作業の安全に役立つ状態になる。コンテナの上などの高所において、上記連結部分に近い端の部分で、作業員が身を屈めたり連結部分に手を伸ばしたりする必要はなく、きわめて簡単で安全な作業のみによって支柱を立てることができるわけである。
【００１２】
上記発明の高所作業用安全支柱については、とくに、
・  筒体の下部に、特定の角度姿勢にあるときにのみ上記長穴に挿入される、上下方向に連続して長さを有するガイド片（たとえば図１の符号１４）が一体的に設けられているとともに、
・  上記の係止片が上記した他の角度姿勢にある状態で、筒体に対し軸体が相対変位をしないようにするロック機構（ピンなど連結具や各種の締付け具等を用いて筒体・軸体間の相対変位を止めるもの）が設けられているとよい。
【００１３】
そのような構成の安全支柱なら、上記2)の際に係止片とガイド片との角度姿勢（各片の長手方向の向き）を揃えて両者をともに長穴に挿入し、上記3)の操作の後に上記ロック機構を効かせておくことにより、さらに安定した好ましい支柱として使用できる。特定の角度姿勢にあるときにのみ上記長穴に挿入される上記ガイド片を連結部分の長穴に挿入した状態では、長穴内で筒体が回転することがなく、また、上記ロック機構を効かせた状態では、筒体に対して軸体およびそれに設けられた係止片が回転することがないからである。つまり、支柱は、どの向きの力を受けても回転せず長穴から抜け出ることがない状態となるため、長期間安定して高所作業の安全に役立つものとして使用できる。
また、上記のガイド片が上下方向に十分な長さを有すると、上記連結部分の長穴に係止片を挿入したり抜き出したりすることをとくに円滑に行うことができる。ガイド片を下方に延ばしてその下端を係止片の近傍に（係止片の回転を妨げない範囲で）位置させておくと、連結部分の長穴の縁部に係止片が引っかかることが防止されるからである。
【００１４】
発明の高所作業用安全支柱は、さらに、
・  上記長穴の縁部上面に被さるフランジ状の部分（たとえば図１の符号１５）が上記ガイド片の上部に形成されるとともに、筒体に対し軸体を引き上げてその状態を保持する引上げ保持機構が筒体に付設されていることにより、
・  上記係止片と上記フランジ状の部分とで上記長穴の周縁部分を挟み付けておくことができる
ように構成されていると好ましい。引上げ保持機構としては、図１に示すナット２４や同様のジャッキアップ機能を有する種々のものが考えられる。
【００１５】
そのように構成されると、発明の安全支柱は、鉛直向きにしっかりと立って一層安定した好ましい機能を果たす。上記長穴の縁部上面に被さるフランジ状の部分と、軸体が引き上げられるのにともなって引き上げられる上記係止片とによって上記長穴の周縁部分を挟み付けておくことができると、連結部分の上で支柱がぐらつく（ガタつく）ことが防止され、ロープ等から横向きの力を受けても傾きにくいからである。
【００１６】
とくに、上記ロック機構と上記引上げ保持機構とを兼ねる機構として、
・  上記案内手段における螺旋状の案内経路に続いて、筒体に対し軸体を上下方向にのみ相対変位させる直線状の案内経路（たとえば図１の符号１３）が形成されているとともに、
・  筒体の上端より上にまで軸体が延びていて、筒体の上端付近の高さで軸体の上部外周に雄ねじが形成され、その雄ねじ上で締め込むとき筒体の上端に接触して軸体を（筒体に対し）上向きに相対変位させるよう、軸体にナット（たとえば図１の符号２４）がはめられている
ならさらに好ましい。
【００１７】
そのように構成されている場合、発明の支柱は、前記3)の操作を行って係止片を上記他の角度姿勢にした後、上記雄ねじにナットを締め込むことにより、上記直線状の案内経路に従って軸体を筒体に対し上向きに引き上げるとよい。そのようにすれば、上記フランジ状の部分と、引き上げられる上記係止片とによって上記長穴の周縁部分を挟み付けることができる。しかも、上記直線状の案内経路の作用で、筒体に対する軸体の角度姿勢を拘束（ロック）し、したがって係止片も回転しないようにすることができる。つまり、上記したロック機構と引上げ保持機構との双方の機能が実現され、支柱は、上記長穴から抜け出ることがなくしっかりとした状態で連結部分に立てることができる。
【００１８】
発明の高所作業用安全支柱は、また、ハンドリングバー（筒体等を直接つかまなくとも支柱を持ち運び等するための支持棒。たとえば図１・図４の符号３０）が筒体に連結されているのが好ましい。
【００１９】
そのようなハンドリングバーが付属していると、作業員はそれを持って支柱の運搬等を行うことができる。長穴を含む上記の連結部分は、コンテナ等において上面の端や隅の部分に設けられているのが一般的であるが、支柱にハンドリングバーが付属しているなら、そうした端や隅に近寄らなくても上記1)〜3)の作業を行えるわけである。まだ安全帯の確保ができておらず、親綱が張られてもいない高所において、端や隅に近寄らずに上記支柱を立てることができることは、安全上きわめて有意義である。
なお、上記のハンドリングバーは、支柱の重心よりも上の部分で筒体に連結され、水平方向および上下方向に一定範囲内で揺動可能なように連結されているのが好ましい。水平方向に揺動可能であれば、作業床上またはその付近の、安全上有利な任意の位置でハンドリングバーを持って支柱を取り扱い、上記係止片等の角度姿勢を整えることができるという利点がある。また、支柱の重心よりも上の部分で、上下方向にも揺動可能に連結されているなら、ハンドリングバーを任意の高さ・任意の角度で支持しても支柱が鉛直に保たれるため、上記連結部分の長穴に支柱の下部を挿入することが容易になる、という利点がある。
【００２０】
また、軸体の下端に、上記支持板に接触するとともに軸体の軸心回りに自由に回転する先端金具（たとえば図１の符号２６）が取り付けられているのも好ましい。
軸体の下端は筒体の下部から出ていて、上記の3)で支持板上に載せられたとき筒体の重量を受けて回転変位する。そのような部位に上記のように回転自在な先端金具が取り付けられていると、上記回転変位の際に以下のように有利である。すなわち、まず、支持板上での軸体の回転が滑らかであり、したがって、上記の係止片が長穴から抜け出ない角度姿勢にまでスムーズに変位する。また、支持板上で軸体が回転する際に軸体の位置がずれてしまうことが防止されるため、ガイド片をスムーズに長穴内に挿し入れることが可能になる。
【００２１】
以上のほか、筒体の上端より上にまで軸体が延びていて、筒体かまたは軸体のうち筒体より上の部分かにおける高さの異なる複数の箇所に、上記の索体を取り付けるための部材が設けられていると、とくに使いやすい。
索体を取り付けるための部材が上記のとおり複数箇所に設けられていると、上記安全支柱には、作業員の安全帯だけでなく他の索体を接続することが容易に行える。たとえば、間隔をおいて複数の支柱を立てた場合には、安全帯のほかに、支柱間にロープ等を掛け渡して親綱とすることにより、作業員の作業域を安全な範囲に限定しておくことができる。索体を取り付ける部材を高さの異なる位置に設けておけば、上下に２本の親綱を平行に張って、一層の安全確保をなすことも可能である。
【発明の効果】
【００２２】
発明による高所作業用安全支柱は、コーナーフィッティング等の長穴を含む連結部分に対し、きわめて簡単に、しかも転落等の危険をともなう作業を行うことなく連結し、立てることができる。そうして立てた後、発明の支柱には、作業員の安全帯を接続したり、または複数の支柱間にロープ（親綱）等を張ったりすることができ、もって高所作業の安全を図ることが可能である。
【図面の簡単な説明】
【００２３】
【図１】発明による高所作業用安全支柱１を連結部分３の上に取り付けた状態を示す図面であり、図（ａ）は正面図、図（ｂ）は断面にて示す側面図である。
【図２】安全支柱１について各部を示す平面図および底面図である。すなわち図（ａ）・（ｂ）・（ｃ）・（ｄ）・（ｅ）・（ｆ）のそれぞれは、図１（ｂ）におけるａ−ａ、ｂ−ｂ、ｃ−ｃ、ｄ−ｄ、ｅ−ｅ、ｆ−ｆの断面図ないし矢視図である。
【図３】連結部分３に取り付ける（または取り外す）過程にある安全支柱１について下端部付近を示す側面図である。
【図４】安全支柱１をコンテナ２の連結部分３に取り付ける（または取り外す）過程を示す全体図であり、図（ａ）は平面図、図（ｂ）は側面図である。
【図５】安全支柱１をコンテナ２の連結部分３に取り付けた状態を示す全体的な側面図である。
【図６】コンテナ２およびそれが有する連結部分３を示す斜視図である。
【図７】特許文献１に記載されている、安全帯連結用の従来の係止治具を示す側面図（図（ａ））および正面図（図（ｂ））である。
【発明を実施するための形態】
【００２４】
図１〜図５に、発明の一例としての高所作業用安全支柱１を示す。
この安全支柱１は、図６のようなコンテナ２の上面に、隅の部分に設けられた連結部分（コーナーフィッティング）３を利用して、図５のように立てるものである。立てた状態の安全支柱１に、コンテナ２上で作業する作業員が各自の安全帯を連結したり、２本以上の安全支柱１の間にロープ（親綱）を渡したりして、高所作業の安全を図るわけである。
【００２５】
安全支柱１を立てる上記の連結部分３は、図６に示すようにコンテナ２の８箇所の隅にあるブロック状の金具であり、外向きの３面に長穴３ａを有している。安全支柱１を立てるのに利用するコンテナ上面の連結部分３については、側方の２面とともに上の面に、長径が約１２０ｍｍ、短径が約６０ｍｍの長穴３ａがあり、その下に、８０ｍｍ程度の間隔をおいて穴のない支持板３ｂ（図１参照）が一体的に設けられている。
【００２６】
安全支柱１は、上記のような連結部分３に下部を挿入して鉛直に立てるもので、図１および図２のように構成している。
すなわち、まず、円筒状の筒体１０の内側に、重なるように円筒状の中空の軸体２０を挿入することによって１本の支柱にしている。筒体１０と軸体２０とは上下（軸長）方向にも周方向にも相対変位可能であるが、その変位は、中段に設けた案内手段１１によって規制している。案内手段１１は、筒体１０の周面上に、案内経路としての螺旋状の斜めの溝１２を１８０°の間隔をおいて２箇所設けるとともに、それぞれの溝１２にはまるように内側の軸体２０の側面上に突起２２を取り付けてなるものである。突起２２は、図１（ｂ）のように軸体２０の周壁間に架け渡した軸２２ａの両端を外周面上に突出させたもので、それぞれ溝１２に沿ってスムーズに移動するよう、回転自在なローラを各突起２２の外周に装着している。こうした案内手段１１を設けたために、軸体２０は、筒体１０に対して螺旋状に、つまり上下方向とともに周方向にも相対変位する関係に保たれる。なお、螺旋状の溝１２のそれぞれは、周方向には約９０°、上下方向には約７０ｍｍ（後述のガイド片１４の長さに近い寸法）にわたって延びるように形成している。
【００２７】
連結部分３の長穴３ａに挿入することになる支柱１の下方部分に関しては、筒体１０にはガイド片１４とフランジ部分１５とを固定して取り付け、軸体２０には、係止片２１を固定するとともに先端金具２６を回転自在なように取り付けている。
ガイド片１４は、図２（ｆ）に示すように水平横断面として長円形の輪郭を有する金具であり、特定の向き（回転角度）になったときにのみ連結部分３の長穴３ａ内に挿入することが可能である。長穴３ａに対して係止片２１等を出し入れするときの案内をも果たすように、このガイド片１４は、２枚の板を下向きに延ばすことにより上下方向に８０ｍｍ程度の長さをもたせ、その下端部が図３のとおり係止片２１に接近するようにしている。
フランジ部分１５は、ガイド片１４を長穴３ａ内に挿入したとき図１のように当該長穴３ａの周縁上面に被さる金具であり、図２（ｅ）のような長方形状の水平部分を有している。後述する係止片２１が連結部分３の内部でどのような角度姿勢にあるかを容易に確認できるように、フランジ部分１５には、２箇所に開口１５ａを形成している。
係止片２１は、軸体２０の下方部分に取り付けた金具であり、筒体１０に対し、軸体２０とともに上記の（上下方向・周方向の）相対変位をすることができる。図２（ｆ）のように、この係止片２１も長円形に近い平面視形状にしており、特定の向き（回転角度）になったときにのみ連結部分３の長穴３ａを通過することができ、それ以外の角度姿勢（たとえば図１・図２の状態）にあるときには、長穴３ａを通過することができない。
先端金具２６は、軸体２０の最下端に、軸体２０の軸心回りに回転自在なように取り付けている。
【００２８】
安全支柱１の筒体１０には、図１、図４および図５に示すハンドリングバー３０を連結している。ハンドリングバー３０は、支柱１の重心よりも上の部分で、図２（ｄ）のように支持ピン３１を介して筒体１０に連結した、長さ１ｍ程度の支持用の棒である。筒体１０に対し、図４（ａ）のように水平方向に揺動することができ、図５のように上下方向にも揺動することもできる。このハンドリングバー３０によって、作業員は支柱１を持ち上げ、その運搬等を行うことができる。
【００２９】
ハンドリングバー３０によって支柱１を持ち上げると、軸体２０は、案内手段１１にしたがって、筒体１０に対し所定の高さにまで下降し所定の角度にまで回転する。このときの、筒体１０に対する軸体２０の角度姿勢は、図３のように、筒体１０に設けられているガイド片１４の長軸（長径）の方向と、軸体２０に設けられている係止片２１の長手方向とが一致するようにしておく。そうすれば、ガイド片１４も係止片２１も、長穴３ａ内に挿入され得る特定の角度姿勢になり、支柱１を持ち上げて連結部分３の長穴３ａ内にその下部を挿入することが容易になるからである。
【００３０】
図３は、筒体１０を支持して支柱１の下部を連結部分３の長穴３ａに挿入する（または長穴３ａから抜き出す）過程を示している。図３の時点では、軸体２０の先端金具２６は支持板３ｂに軽く接触している状態にある。
この図３の状態からさらに筒体１０を下げていくと、先端金具２６を支持板３ｂ上に載せた状態で、軸体２０は、上記の案内手段１１（図１）に従って変位し、筒体１０に対して上方へ移動しながら、上記した特定の角度姿勢から他の角度姿勢へと回転する。筒体１０を十分に下げると、連結部分３の長穴３ａの縁部上面にフランジ部分１５が載る状態になる。案内手段１１の溝１２は、この状態で突起２２が螺旋状部分の最上部付近にまで上昇し、かつ、筒体１０をハンドリングバー３０で支えていた当初の位置から突起２２が周方向に９０°移動しているように形成しておくのがよい。溝１２に沿って突起２２が９０°回転すると、筒体１０に対して軸体２０が９０°回転する。したがって、支柱１の下部を連結部分３の長穴３ａに挿入しただけで、係止片２１の長手方向が長穴３ａの長軸方向と直角（図２（ｆ）の角度姿勢）になり、長穴３ａから抜け出しにくくなって高所作業用安全支柱１として使用できる状態になる。
【００３１】
安全支柱１には、さらに安全確実な使用を可能にするために、ロック機構を兼ねた引上げ保持機構２５を装備している。ロック機構とは、係止片２１が図２（ｆ）のように長穴３ａから抜け出ない角度姿勢にある状態で、筒体１０に対し軸体２０が相対変位をしないようにロックする機構である。引上げ保持機構とは、長穴３ａの縁部上面にフランジ部分１５が被さった状態で、筒体１０に対し軸体２０および係止片２１を引き上げて保持することにより、係止片２１とフランジ部分１５とで長穴３ａの周縁部分を挟み付けておくための機構である。ロック機構があれば、連結部分３から支柱が不意に抜け出る心配は全くなくなり、引上げ保持機構があれば、ぐらつかないようにしっかりと支柱１を連結部分３の上に立たせることができる。
【００３２】
上に述べたロック機構兼引上げ保持機構２５は、前記した螺旋状の溝１２の最上部に、図１（ａ）のように上向きの溝１３を延長して設けるとともに、筒体１０の上端付近の高さで軸体２０の外周に雄ねじ２３を形成し、そこに、図１および図２（ｂ）のとおりナット２４をはめたものである。
雄ねじ２３に対してナット２４を下向きに締め込んでいくと、ナット２４の下面が筒体１０の上端面を押し下げ、相対的に軸体２０を引き上げることになる。軸体２０を引き上げると、軸体２０に設けた突起２２が上向きの溝１３に入って筒体１０との間で相対回転を起こさないロック状態になり、係止片２１の角度姿勢を固定することができる。また、軸体２０を十分に引き上げて保持すると、係止片２１が上昇し、上記のとおりフランジ部分１５との間で長穴３ａの周縁部分を挟み付けることになる。
【００３３】
安全支柱１の軸体２０は図１のように筒体１０の上端より上にまで延ばし、最上部に、安全帯や親綱等を結び付けるための取付部材４１・４２を設けている。また、筒体１０の中段の部分には、親綱等を結び付けるための取付部材４３を設けている。いずれの取付部材４１・４２・４３も、図２（ａ）・（ｃ）に示すように索体の連結穴を有する板状のものとし、支柱１に対して回転自在に取り付けている。
【００３４】
以上のように構成した高所作業用安全支柱１は、コンテナ２の上面において、たとえば以下のように取り付け、使用することができる。
1)  ハンドリングバー３０を持つことによって、作業員が支柱１を、図４（ａ）・（ｂ）のように連結部分３の上にまで運ぶ。ハンドリングバー３０に長さがあるため、このとき作業員はコンテナ２の隅の部分まで近寄る必要がなく、また、図４（ａ）のようにハンドリングバー３０が水平方向に揺動可能であるため、作業員はコンテナ２の縁部に立つ必要もない。
2)  図４（ｂ）の状態から、連結部分３の長穴３ａ内に係止片２１やガイド片１４等を挿し入れる。これには、支柱１の下部にある筒体１０のガイド片１４と軸体２０の係止片２１とが、連結部分３の長穴３ａを通過する特定の角度姿勢になるように支柱１の角度を整えたうえ、ハンドリングバー３０で支持したまま支柱１を下ろす。
3)  そのまま支柱１を下ろし、図３のように軸体２０の下端の先端金具２６が連結部分３の支持板３ｂ上に載ったのちも、さらにハンドリングバー３０とともに筒体１０を下げたうえ、図５（の実線）のようにハンドリングバー３０から手を放して筒体１０の支持を解く。この3)の間に、筒体１０は自重により軸体１０に沿って下方へ移動し、軸体１０は、図1の螺旋状の案内溝１２に従って約９０°回転しながら上方へ相対変位する。軸体２０の回転にともなって係止片２１が長穴３ａから抜け出せない角度姿勢へと回転変位するので、この3)を行った時点で、支柱１は、安全帯や親綱等によって横向きに引っ張られても連結部分３から倒れたり外れたりしない状態になる。
【００３５】
4)  作業員は、支柱１に近づいて安全帯を取付部材４１等に連結したうえ、図１に示すロック機構兼引上げ保持機構２５のナット２４を、雄ねじ２３に対して締め込む。これによって支柱１は図１の状態になり、筒体１０に対して軸体２０がロックされ、軸体２０に設けた係止片２１の角度姿勢が固定されるので、支柱１が不意に連結部分３から抜け出る恐れがなくなる。また、筒体１０に対し軸体２０が引き上げられてその状態に保持され、フランジ部分１５と係止片２１とが長穴３ａの周縁部分を挟み付けるので、ぐらつかない状態で支柱１が安定的に立つことになる。
5)  間隔をおいて複数の連結部分３にそれぞれ支柱１を立てた場合には、それら支柱１同士の間にロープを張って親綱とすることもできる。上方の取付部材４１または４２と、中段の取付部材４３とを利用して上下２本の親綱を張るのも好ましい。
【００３６】
なお、支柱１を当該コンテナ２の連結部分３から取り外すことは、以上の1)〜5)とは逆の手順をとることにより容易に行える。
【符号の説明】
【００３７】
１  高所作業用安全支柱
２  コンテナ
３  連結部分
３ａ  長穴
３ｂ  支持板
１０  筒体
１１  案内手段
１２・１３  溝
１４  ガイド片
１５  フランジ部分
２０  軸体
２１  係止片
２２  突起
２３  雄ねじ
２４  ナット
２５  ロック機構兼引上げ保持機構
２６  先端金具
３０  ハンドリングバー
４１・４２・４３  取付部材
【図１】
0005833942.tif 000002
【図２】
0005833942.tif 000003
【図３】
0005833942.tif 000004
【図４】
0005833942.tif 000005
【図５】
0005833942.tif 000006
【図６】
0005833942.tif 000007
【図７】
0005833942.tif 000008